(57)【要約】【課題】主に、外壁パネルを、施工に手間のかからないものなどにする。【解決手段】外壁パネル７は、建物１の一階層分の高さＨ１，Ｈ２と同等の長さ寸法１１，１２を有する細長い基板１３の表面にタイル１４が貼られている。この基板１３は、上下方向１９へ延びる壁下地材１５に沿って建物１の既存の外壁４〜６に上下方向に固定される。  基板１３の側面には、目地部３１が一体に設けられても良い。  基板１３の上端には、タイル１４が面一状態で取付けられても良い。  タイル１４は、整然と並んだ状態で基板１３に貼られても良い。【選択図】図２
2020051082.tif 000002
【特許請求の範囲】
【請求項１】
建物の一階層分の高さと同等の長さ寸法を有する細長い基板の表面にタイルが貼られていると共に、
前記基板は、上下方向へ延びる壁下地材に沿って建物の既存の外壁に上下方向に固定されるものであることを特徴とする外壁パネル。
【請求項２】
請求項１に記載の外壁パネルであって、
前記基板の側面には、目地部が一体に設けられていることを特徴とする外壁パネル。
【請求項３】
請求項１または請求項２に記載の外壁パネルであって、
前記基板の上端には、前記タイルが面一状態で取付けられていることを特徴とする外壁パネル。
【請求項４】
請求項１ないし請求項３のいずれか１項に記載の外壁パネルであって、
前記タイルは、整然と並んだ状態で前記基板に貼られていることを特徴とする外壁パネル。
【請求項５】
請求項１ないし請求項４のいずれか１項に記載の外壁パネルを上下に並べて配置することで、建物の下階の下部から上階の上部に及ぶ上下方向の通し状壁部が形成され、
該通し状壁部における、下階の外壁パネルと上階の外壁パネルとの間には、取付金具が設置されており、
該取付金具は、化粧部材によって外側から覆われていることを特徴とする建物構造。
【発明の詳細な説明】
【技術分野】
【０００１】
この発明は、外壁パネルおよび建物構造に関するものである。
【背景技術】
【０００２】
住宅などの建物の外壁には、外壁パネルを使用したものが存在している（例えば、特許文献１参照）。
【先行技術文献】
【特許文献】
【０００３】
【特許文献１】特開平１０−８８７７２号公報
【発明の概要】
【発明が解決しようとする課題】
【０００４】
しかしながら、上記特許文献１に記載された外壁パネルは、建物や外壁の大きさと比べてかなり小型のものとなっていたので、多くの枚数が必要になり、その分、施工に手間や時間などがかかっていた。
【０００５】
そこで、本発明は、主に、上記した問題点を解決することを目的としている。
【課題を解決するための手段】
【０００６】
上記課題を解決するために、本発明は、
建物の一階層分の高さと同等の長さ寸法を有する細長い基板の表面にタイルが貼られていると共に、
前記基板は、上下方向へ延びる壁下地材に沿って建物の既存の外壁に上下方向に固定されるものである外壁パネルなどを特徴とする。
【発明の効果】
【０００７】
本発明によれば、上記構成によって、外壁パネルを、施工に手間のかからないものにすることなどができる。
【図面の簡単な説明】
【０００８】
【図１】本実施例にかかる外壁パネルを適用する建物の下階部分の横断面図である。
【図２】（ａ）は図１の建物を図の左方から見たときの、外壁パネルの取付け状態を示す図である。（ｂ）は（ａ）の壁面の縦断面図である。
【図３】（ａ）は図１の建物を図の下方から見たときの、外壁パネルの取付け状態を示す図である。（ｂ）は（ａ）の壁面の開口部の位置における縦断面図である。
【図４】外壁パネルの部品図である。このうち、（ａ）は正面図、（ｂ）は背面図、（ｃ）はＡ−Ａ線に沿った横断面図、（ｄ）はＢ−Ｂ線に沿った縦断面図である。
【図５】既存の外壁に壁下地材を取付けた状態を示す建物の下階部分の斜視図である。
【図６】下階の下部に対する外壁パネルの下部の取付け状態を示す縦断面図である。
【図７Ａ】下側の外壁パネルと上側の外壁パネルとを下階と上階との間の位置に取付ける状態を示す縦断面図である。
【図７Ｂ】図の変形例である。
【図８】上階の上部に対する外壁パネルの上部の取付け状態を示す縦断面図である。
【図９Ａ】側面に目地部を有する外壁パネルを用いた壁面の様子を示す斜視図である。
【図９Ｂ】図９Ａを上から見た図である。
【図１０】基板の上端とタイルとが面一になっている状態を示す図（部分拡大側面図）である。
【図１１】取付金具と化粧部材とを示す図（部分拡大側面図）である。
【発明を実施するための形態】
【０００９】
以下、本実施の形態を、図面を用いて詳細に説明する。
図１〜図１１は、この実施の形態を説明するためのものである。
【実施例１】
【００１０】
＜構成＞以下、構成について説明する。
【００１１】
住宅などの建物をリフォームする場合において、建物の既存の外壁の上から、新たな外壁パネルを取付けることが行われている。この新たに取付ける外壁パネルを、以下のようなものとする。
【００１２】
なお、図１は、リフォーム前の建物１の下階２部分の横断面を示す図であり、図２、図３は、この建物１の既存の外壁４〜６に対してこの実施例の外壁パネル７を取付けた状態を示す図である。なお、特に図示しないが、他の外壁についてもほぼ同様となる。この実施例では、図１における外壁５が、窓などの開口部８を有すると共に、外壁４と外壁６は、窓などの開口部８を有していないものとなっている。また、上階３の上側には、雨樋９（図２）などが設けられている。
【００１３】
（１）図２に示すように、外壁パネル７は、建物１の一階層分の高さＨ１，Ｈ２とほぼ同等の長さ寸法１１，１２を有する細長い基板１３（図４）の表面にタイル１４（図４）が貼られたものとしても良い。
基板１３は、上下方向１９へ延びる壁下地材１５（図５）に沿って建物１の既存の外壁４〜６に上下方向１９に固定されるものとしても良い。
【００１４】
ここで、外壁パネル７は、例えば、建物１の既存の外壁４〜６に新たに取付けるリフォーム用のパネル部材などとされる。外壁パネル７には、外壁４〜６の面に取付ける平坦なものと、外壁４〜６のコーナー部（出隅や入隅など）に取付ける屈曲形状のもの（または、９０度に交わる二面を有するもの）とが存在しており、どちらでも良いが、この実施例では、平坦なものの例で説明する。
【００１５】
この外壁パネル７を使用する建物１は、平屋でも良いし、２階建以上の複数の階層を有するものでも良い。この実施例では、一例として２階建としている。
【００１６】
建物１の一階層分の高さＨ１，Ｈ２は、およそ２．５ｍ〜３．５ｍ程度となっている。但し、建物１の一階層分の高さＨ１，Ｈ２はこれに限るものではない。また、建物１は、各階層ごとに高さＨ１，Ｈ２が異なっていても良い。
【００１７】
建物１の一階層分の高さＨ１，Ｈ２と同等の長さ寸法１１，１２は、基板１３の長辺７ａ（図４）の寸法であり、施工時または施工後の寸法で良い。よって、外壁パネル７は、建物１の一階層分の高さＨ１，Ｈ２よりも長く作って、設置する建物１の一階層分の高さＨ１，Ｈ２に合わせて切断して使用するようにしても良い。施工時または施工後の基板１３の長辺７ａの長さ寸法１１，１２は、建物１の一階層分の高さＨ１，Ｈ２と同様にほぼ２．５ｍ〜３．５ｍ程度となる。但し、基板１３の長辺７ａの具体的な長さ寸法１１，１２はこれに限るものではない。なお、建物１の開口部８の位置などでは、外壁パネル７は、一階層分の高さＨ１，Ｈ２よりも短く切断して使用しても良い。同等は、同一、および、ほぼ同一を含むものとする。この実施例では、ほぼ同一となっている。
【００１８】
細長いは、長さに対して幅が十分に狭いことである。この場合、外壁パネル７の短辺７ｂの幅寸法は、一般的な建築用パネルの幅寸法（８００ｍｍ〜１０００ｍｍ程度）のほぼ半分の幅寸法（４００ｍｍ〜５００ｍｍ程度）などとされている。よって、外壁パネル７は、外壁４〜６に対して、横方向に複数枚設置されることになる。但し、基板１３の短辺７ｂの寸法（幅寸法）はこれに限るものではない。
【００１９】
基板１３は、どのような材質のものとしても良いが、例えば、合成樹脂（ポリエチレン、塩化ビニル、ウレタン等）製の心材の両面を薄いアルミ板で覆ったものなどとすることができる。このような合成樹脂の心材の両面を薄いアルミ板で覆った基板１３は、軽くて強度が高いため、大判化および薄型化が可能であり、しかも、取扱い易いものとなる。
【００２０】
タイル１４は、本物のタイル１４のことであり、基板１３とは別に作られる。タイル１４は、どのような大きさや形状や材質のものを使用しても良い。タイル１４には、例えば、磁器タイルなどを使用するのが好ましい。磁器タイルは、火に強く、水に強く、汚れに強く（雨によって汚れを落とす機能を持つことができる）、傷に強く、紫外線に強く、寒さに強く、酸やアルカリに強いなどの様々な長所を有している。
【００２１】
上下方向１９へ延びる壁下地材１５は、縦の胴縁のことである。縦の胴縁には、樹脂製のものや木製のものや鋼製のものなどが使用できる。壁下地材１５（縦の胴縁）は、建物１に対し、外壁パネル７の幅寸法とほぼ等しい間隔を有して複数本設置される。壁下地材１５は、外壁パネル７の両側部の位置に、隣接する外壁パネル７間に跨るように取付けられる。図６〜図８に示すように、外壁パネル７は、壁下地材１５や既存の外壁４〜６に対してネジや釘などの固定具１６によって外方からほぼ面直に固定される。
【００２２】
既存の外壁４〜６は、建物１に元々取付けられている外壁４〜６のことである。外壁パネル７は、既存の外壁４〜６を残した状態でその上から設置される。既存の外壁４〜６と外壁パネル７との間には、上記した壁下地材１５が介在される。
【００２３】
取付金具２１は、外壁パネル７を既存の外壁４〜６に取付けるための金具のことである。取付金具２１は、少なくとも外壁パネル７の下端部や上端部の位置に設けられる。この実施例では、外壁パネル７は、階層分の高さと同等の長さ寸法１１，１２を有しているので、取付金具２１は、階層の下部や上部の位置になど設けられる。例えば、２階建て以上の建物１の場合、取付金具２１は、各階層ごとに階層の下部や上部の位置に設けられる。
【００２４】
そのために、下階２の下部や、下階２と上階３との間や、上階３の上部などには、必要に応じて壁下地材１７（図６、図８）としての横の胴縁などを、ネジや釘などの固定具１８を用いて取付けるようにしても良い。そして、この壁下地材１７に外壁パネル７の取付け起点となるスタータ金具や取付けの終点となるエンド金具などの取付金具２１をネジや釘などの固定具２２で取付けるようにしても良い。これにより、取付金具２１を用いて外壁パネル７の下端部（短辺７ｂ）や上端部（短辺７ｂ）を、保持させたり、位置決めさせたり、見切りを行わせたりすることができる。
【００２５】
例えば、図６では、取付金具２１として、下階２の外壁パネル７の下端部を側面視ほぼ逆Ｔ字型のスタータ金具で保持させるようにしている。側面視ほぼ逆Ｔ字型のスタータ金具は、壁下地材１７の下端部および下階２の外壁パネル７の下端部に当接するように配置される横面部と、横面部の中間部から壁下地材１７の表面に沿って上方へ延びる縦面部とを有している。但し、スタータ金具の形状はこれに限るものではない。
【００２６】
また、図７Ａでは、上階３の外壁パネル７の下端部を側面視ほぼＹ字型のスタータ金具で保持している。側面視ほぼＹ字型のスタータ金具は、上階３の外壁パネル７の下端部に当接し、下階２の外壁パネル７の上端部との間に隙間を有するように配置される横面部と、横面部の内側の端部から壁下地材１５と上階３の外壁パネル７との間を上方へ延びる内側の縦面部と、横面部の外側の端部から上階３の外壁パネル７の外面に沿って上方へ延びると共に、下階２の外壁パネル７の外面に沿って下方へ延びる外側の縦面部とを有している。
【００２７】
図７Ｂでは、上階３の外壁パネル７の下端部を側面視ほぼＳ字型のスタータ金具で保持している。側面視ほぼＳ字型のスタータ金具は、図７Ａの外側の縦面部から、下階２の外壁パネル７の外面に沿って下方へ延びる部分をなくしたものとなっている。なお、これらのスタータ金具は、同時に、下階２の外壁パネル７の上端部を保持するエンド金具となっている。但し、スタータ金具（兼エンド金具）の形状はこれに限るものではない。
【００２８】
図８では、上階３の外壁パネル７の上端部を側面視ほぼ逆Ｕ字型のエンド金具で保持している。側面視ほぼ逆Ｕ字型のエンド金具は、上階３の外壁パネル７の上端部との間に隙間を有するように配置される横面部と、横面部の内側の端部またはその近傍から壁下地材１７と上階３の外壁パネル７との間を下方へ延びる内側の縦面部と、横面部の外側の端部から上階３の外壁パネル７の外面に沿って下方へ延びる外側の縦面部とを有している。但し、エンド金具の形状は、これに限るものではない。また、上階３の外壁パネル７の上端部近傍の外側には、軒天井材２３が軒天受材２４を用いて取付けられている。
【００２９】
（２）図９Ａ、図９Ｂに示すように、基板１３の側面には、目地部３１が一体に設けられても良い。
【００３０】
ここで、目地部３１は、隣接する外壁パネル７と外壁パネル７との間に形成されるほぼ一定間隔の隙間や継ぎ目のことである。目地部３１は、一般的な外壁パネル７間の隙間とほぼ同じ程度の大きさや幅に形成される。この外壁パネル７では、目地部３１は、基板１３をタイル１４が貼られる部分よりも上記幅の分だけ横に長く延長することによって延長部分に形成される。目地部３１は、隣接する外壁パネル７の側面に直接当接される。目地部３１は、基板１３の左側の側面（長辺７ａ）と右側の側面（長辺７ａ）の少なくともどちらか一方または両方に設けることができる。目地部３１は、基板１３の長辺７ａ全体に亘って均一の幅で延びるものとされる。
【００３１】
なお、基板１３の側面には、目地部３１を設けないようにすることもできる。この場合には、外壁パネル７と外壁パネル７とを上記した幅分の隙間を有して隣接配設し、外壁パネル７間の隙間にガスケット３２を介装することになる。目地部３１とガスケット３２とは、どちらの構造を採用しても良いが、目地部３１がガスケット３２よりも多くなるようにするのが、施工の手間を削減する上では、望ましい。
【００３２】
（３）図１０に示すように、基板１３の上端には、タイル１４が面一状態で取付けられても良い。
【００３３】
ここで、面一状態とは、基板１３の上端１３ａと、基板１３に貼られた最上部のタイル１４の上端１４ａとの位置が、水平状態に揃っていることである。なお、基板１３の下端については、最下部のタイル１４の下端は面一状態で取付けられても、面一以外の状態で取付けられても良い。また、基板１３の左右の側面についても、最外側のタイル１４の外側面が面一状態で取付けられても、面一以外の状態で取付けられても良い。但し、上記したように目地部３１を設ける部分については、この限りではない。
【００３４】
（４）タイル１４は、整然と並んだ状態で基板１３に貼られても良い。
【００３５】
ここで、整然と並んだ状態とは、上下方向１９や左右方向やその他の方向などに対して均等な間隔や均等なパターンを有してタイル１４がムラなく貼られていることである。タイルパターンについてはどのようなものでも良い。このように、タイル１４を整然と並んだ状態で貼るには、工場で機械を用いてタイル１４を基板１３に貼付ける加工を行うのが好ましい（機械貼り）。これにより、タイル１４の配列は、機械加工による高い精度を持ったものとなる。タイル１４は、接着剤（例えば、エポキシ変性シリコーン系弾性接着剤など）など用いて基板１３に貼ることができる。タイル１４間の目地となる部分には、目地材（例えば、カラー珪砂）などを施工することができる。
【００３６】
（５）以下、上記外壁パネル７を用いた建物１の構造（建物構造）について説明する。
【００３７】
この建物１の構造では、図２に示すように、上記外壁パネル７を上下に並べて配置することで、建物１の下階２の下部から上階３の上部に及ぶ上下方向１９の通し状壁部４１が形成されても良い。
図１１に示すように、通し状壁部４１における、下階２の外壁パネル７と上階３の外壁パネル７との間には、取付金具２１が設置されても良い。
そして、取付金具２１は、化粧部材４２によって外側から覆われても良い。
【００３８】
ここで、建物１については、一般的な構造のものであれば、どのようなものであっても良い。この実施例では、建物１をユニット建物としている。ユニット建物は、工場で予め製造された建物ユニットを現場へ搬送して、現場で組み立てることによって、短期間のうちに建物１を構築できるようにしたものである。ユニット建物には、鋼製ユニットを用いた鉄骨系のものと、木製ユニットを用いた木質系のものとがあるが、どちらでも良い。
【００３９】
通し状壁部４１は、建物１の複数の階層の下部から上部までの間を、均一の幅を有して上下方向１９に連続的に延びる通し状とされた壁部のことである。上記外壁パネル７を用いた建物１は、このような通し状壁部４１が、横方向に多数隣接形成されることで、縦の流れを有する見栄え良く外観の整った壁構造に仕上げられる。
【００４０】
なお、通し状壁部４１は、建物１の外壁４〜６の全面に亘って設けられている必要はなく、主要部分が通し状壁部４１になっていれば良い。例えば、建物１の開口部８の位置については、上記したように、外壁パネル７を切断して使ったり、同じタイルが取付けられた短い外壁パネルを使ったりするが、これにより、開口部８の部分については、通し状壁部４１ではない状態になる。
【００４１】
化粧部材４２は、例えば、建物１の階層間の位置を横方向に周回するように設けられる胴差しなどの部材とされる。化粧部材４２は、ネジや釘などの固定具４３で外壁パネル７などに取付けられる。
【００４２】
＜作用＞この実施例の作用は、以下のようなものである。
【００４３】
建物１をリフォームする場合、建物１の既存の外壁４〜６に対して縦の胴縁などの壁下地材１５を取付ける。この壁下地材１５は、外壁パネル７の両側部の位置に、隣接する外壁パネル７間に跨るように取付ける。そして、下階２の下部や、下階２と上階３との間や、上階３の上部に、必要に応じて、横の胴縁などの取付金具２１を取付け、この取付金具２１を用いて、外壁パネル７を設置すると共に、外壁パネル７の両側部を縦の胴縁などの壁下地材１５などに固定具１６で固定する。そして、上下の外壁パネル７の繋ぎ目を、胴差しなどの化粧部材４２によって隠すようにする。なお、開口部８については、例えば、外壁パネル７を適宜の長さに切断して取付けるようにする。
【００４４】
＜効果＞この実施例によれば、以下のような効果を得ることができる。
【００４５】
（効果１）外壁パネル７は、建物１の一階層分の高さＨ１，Ｈ２と同等の長さ寸法１１，１２を有する細長い基板１３の表面にタイル１４を貼ったものとしても良い。これにより、外壁パネル７が既存のものよりも格段に大判化され、建物１の一階層分の高さＨ１，Ｈ２を１枚の外壁パネル７だけで一度にカバーできるようになるので、使用する外壁パネル７の枚数が少なくて済み、その分、現場での外壁パネル７の取付けや、外壁パネル７間の位置調整（例えば、上下位置調整や上下目地処理など）などに要する、施工の手間や時間や必要人員やコストを削減できる（即ち、省施工、工期短縮、人員削減、少コストを図ることができる）。また、外壁パネル７を大判化することで、工場段階で予め建物１に合うように外壁パネル７をプレ加工することが容易にできる。そのため、省施工工法を確立でき、現今の、職人不足や職人の高齢化などの問題を解消し、また、社会情勢の変化による急な受注などにも対応することが可能となる。
【００４６】
また、基板１３の表面に本物のタイル１４を貼るようにしても良い。これにより、これまでになかったような本格的な外壁パネル７を得ることができ、また、簡単にタイル貼りの外壁４〜６にすることができる。
【００４７】
基板１３は、上下方向１９へ延びる壁下地材１５に沿って建物１の既存の外壁４〜６に上下方向１９に固定されるものとしても良い。これにより、細長い外壁パネル７の撓みを抑えて、最も強固且つ効果的に既存の外壁４〜６に外壁パネル７を固定できると共に、既存の外壁４〜６を外壁パネル７によって簡単にリフォームできる。
【００４８】
よって、外壁パネル７を、外観品質が良く、施工し易いものとすることができる。
【００４９】
（効果２）外壁パネル７は、基板１３の側面に、目地部３１を一体に設けても良い。これにより、外壁パネル７間に目地を設けてガスケット３２を設置しなくても良くなり、その分、施工を容易化できる。また、外壁パネル７間の目地の調整の手間をなくすことができる。
【００５０】
（効果３）外壁パネル７は、基板１３の上端１３ａにタイル１４を面一状態で取付けられても良い。これにより、外壁パネル７の上端に平坦な部分が増えるので、外壁パネル７の上側に別の外壁パネル７の下端を設置し易くできる。
【００５１】
（作用効果４）外壁パネル７は、基板１３にタイル１４が整然と並んだ状態で貼付けても良い。これにより、タイル１４の目地が通ったものとなるため、外壁パネル７の外観品質を向上できる。また、タイル１４を基板１３に対して、機械を用いて貼り付けるようにすれば、手間をかけずに、より美しく（精度良く）、より短い時間で効率的にタイル１４を貼ることができる。
【００５２】
（効果５）この実施例の建物１の構造は、上記した外壁パネル７を用いることで、上記した外壁パネル７と同様の効果が得られる。そして、上記した外壁パネル７を上下に並べて配置することで、建物１の下階２の下部から上階３の上部に及ぶ上下方向１９の通し状壁部４１を形成しても良い。これにより、上下方向１９に対しては、２枚の長い外壁パネル７だけで建物１を覆うことができるので、建物１を縦の流れの有るシンプルで美しい外観に仕上げることができる。
【００５３】
この際、下階２の外壁パネル７と上階３の外壁パネル７との間に、取付金具２１を設置するようにしても良い。これにより、下階２の外壁パネル７の上部と上階３の外壁パネル７の下部とを同時にまた簡単に取付金具２１で保持および固定できる。
【００５４】
そして、化粧部材４２を用いて取付金具２１を外側から覆うようにしても良い。これによって、下階２と上階３との間に受けられる取付金具２１を隠して建物１を見栄え良く仕上げることができる。
【符号の説明】
【００５５】
１      建物
２      下階
３      上階
４      既存の外壁
５      既存の外壁
６      既存の外壁
７      外壁パネル
７ａ    長辺
７ｂ    短辺
１１    長さ寸法
１２    長さ寸法
１３    基板
１４    タイル
１５    壁下地材
１９    上下方向
２１    取付金具
３１    目地部
４１    通し状壁部
４２    化粧部材
Ｈ１    一階層分の高さ
Ｈ２    一階層分の高さ
【図１】
2020051082.tif 000003
【図２】
2020051082.tif 000004
【図３】
2020051082.tif 000005
【図４】
2020051082.tif 000006
【図５】
2020051082.tif 000007
【図６】
2020051082.tif 000008
【図７Ａ】
2020051082.tif 000009
【図７Ｂ】
2020051082.tif 000010
【図８】
2020051082.tif 000011
【図９Ａ】
2020051082.tif 000012
【図９Ｂ】
2020051082.tif 000013
【図１０】
2020051082.tif 000014
【図１１】
2020051082.tif 000015